(57)【要約】【課題】  型くずれを起こさず、見栄えに優れ、高い商品価値を有するタオルの圧縮固化製品を提供する。【解決手段】  タオル１を平面ハート形に折り畳んで形成した半製品２を、複数個、平面クローバー形に並べて圧縮固化し、隣接する半製品２の側面部同士を湾曲齟齬接触させて連結した単体の製品本体３と、透明部分４ａと半透明部分４ｂまたは不透明部分を有し、それらのいずれかで半製品２と略同一のハート模様５を複数個形成してクローバー模様６とし、製品本体３に上載される装飾シート４と、製品本体３と装飾シート４を包装する透明または半透明の包装フィルム７と、で構成する。【選択図】      図１
0003122523.tif 000002
【実用新案登録請求の範囲】
【請求項１】
タオル（１）を平面ハート形に折り畳んで形成した半製品（２）を，複数個，平面クローバー形に並べて圧縮固化し，隣接する半製品の側面部同士を湾曲齟齬接触させて連結した単体の製品本体（３）と、透明部分（４ａ）と半透明部分（４ｂ）または不透明部分を有し，それらのいずれかで前記半製品と略同一のハート模様（５）を複数個形成してクローバー模様（６）とし，前記製品本体に上載される装飾シート（４）と、前記製品本体と装飾シートを包装する透明または半透明の包装フィルム（７）と、からなるタオルの圧縮固化製品。
【請求項２】
色の異なるタオル（１）を，それぞれ平面ハート形に折り畳んで形成した半製品（２）を，複数個，平面クローバー形に並べて圧縮固化し，隣接する半製品の側面部同士を湾曲齟齬接触させて連結した単体の製品本体（３）と、透明部分（４ａ）と半透明部分（４ｂ）または不透明部分を有し，それらのいずれかで前記半製品と略同一のハート模様（５）を複数個形成してクローバー模様（６）とし，前記製品本体に上載される装飾シート（４）と、前記製品本体の下面に敷かれる台紙（８）と、前記製品本体，装飾シートおよび台紙を包装する透明または半透明の包装フィルム（７）と、からなるタオルの圧縮固化製品。
【考案の詳細な説明】
【技術分野】
【０００１】
本考案は、贈り物や結婚式の引出物、あるいは旅行の携帯品などとして有用なタオルの圧縮固化製品に関するものである。
【背景技術】
【０００２】
本考案者らは、これまで、例えば、誕生日の贈り物や結婚式の引出物、さらには旅行の携帯品などとして有用なタオルの圧縮固化製品を創案している。この製品は、複数枚のタオルをそれぞれハート形に圧縮固化して半製品とした後、その側面同士を接触させた状態で台紙に載せて平面クローバー形を形成し、包装フィルムで包装したものである。
【考案の開示】
【考案が解決しようとする課題】
【０００３】
しかし、このタオルの圧縮固化製品は、各半製品がそれぞれ独立しているので、型くずれを起こし易く、よって、見栄えが低下し、商品価値が優れないものとなっていた。
【０００４】
本考案は、こうした問題に鑑み創案されたもので、型くずれを起こさず、見栄えに優れ、高い商品価値を有するタオルの圧縮固化製品を提供することを課題とする。
【課題を解決するための手段】
【０００５】
図１乃至図５を参照して説明する。請求項１に記載のタオルの圧縮固化製品１０は、タオル１を平面ハート形に折り畳んで形成した半製品２を、複数個、平面クローバー形に並べて圧縮固化し、隣接する半製品２の側面部同士を湾曲齟齬接触させて連結した単体の製品本体３と、透明部分４ａと半透明部分４ｂまたは不透明部分を有し、それらのいずれかで前記半製品２と略同一のハート模様５を複数個形成してクローバー模様６とし、前記製品本体３に上載される装飾シート４と、前記製品本体３と装飾シート４を包装する透明または半透明の包装フィルム７と、からなるものである。
【０００６】
なお、隣接する半製品２の側面部同士は、当該側面部同士を接触させた状態で、圧縮固化した際、その圧力で側面部が側方に延出して隣接する半製品２の側面部と湾曲齟齬接触して凹凸部３ａを形成し、その状態で上からさらに押圧されることによって圧縮されて連結されるものである。
【０００７】
請求項２に記載のタオルの圧縮固化製品１０は、色の異なるタオル１を、それぞれ平面ハート形に折り畳んで形成した半製品２を、複数個、平面クローバー形に並べて圧縮固化し、隣接する半製品２の側面部同士を湾曲齟齬接触させて連結した単体の製品本体３と、透明部分４ａと半透明部分４ｂまたは不透明部分を有し、それらのいずれかで前記半製品２と略同一のハート模様５を複数個形成してクローバー模様６とし、前記製品本体３に上載される装飾シート４と、前記製品本体３の下面に敷かれる台紙８と、前記製品本体３、装飾シート４および台紙８を包装する透明または半透明の包装フィルム７と、からなるものである。
【考案の効果】
【０００８】
請求項１に記載のタオルの圧縮固化製品１０は、タオル１で形成した複数個の半製品２を圧縮固化することによって、その側面部同士を湾曲齟齬接触させて連結して単体の製品本体３とするので、型くずれしない。従って、見栄えに優れ、商品価値の高い製品とすることができる。
【０００９】
また、製品本体３の上面に、当該製品本体３が現出しているものとほぼ同一のハート模様５を複数個有し、クローバー模様６を形成する装飾シート４を上載するので、当該製品本体３が現出している平面クローバー形を、当該クローバー模様６でさらに明瞭に現出させることができる。すなわち、製品本体３を形成する複数個の半製品２は、その側面部が隣接する半製品２の側面部と湾曲齟齬接触しているので、各半製品２が形成するハート形の輪郭がやや不明瞭となるが、それを装飾シート４に形成した輪郭の明瞭なクローバー模様６によって補うことができる。従って、見栄えが優れ、さらに商品価値の高いものとすることができる。
【００１０】
さらに、製品本体３と装飾シート４を透明または半透明の包装フィルム７で包装しているので、型くずれを確実に防止することができる。従って、見栄えと商品価値をさらに高めることができる。
【００１１】
請求項２に記載のタオルの圧縮固化製品１０は、請求項１に記載の考案と同様に、見栄えと商品価値を良好に高めることができる。また、複数個の半製品２を、色の異なる四枚のタオル１で形成しているので、装飾性を高めることができ、これによって見栄えと商品価値をされに高めることができる。
【００１２】
また、製品本体３の下面に台紙８を敷いているので、当該製品本体３を下から支持して、型くずれをより未然に防止することができる。これにより、見栄えと商品価値を、さらに高めることができる。
【考案を実施するための最良の形態】
【００１３】
本考案に係るタオルの圧縮固化製品１０の実施形態を、図１および図２に示す。これは、贈り物や結婚式の引出物あるいは旅行の携帯用などとして使用することのできるものであり、製品本体３、装飾シート４、台紙８、および包装フィルム７からなる。
【００１４】
製品本体３は、色の異なる四枚のタオル１を、それぞれ平面ハート形に折り畳んだ半製品２を圧縮固化して、その側面部同士が湾曲齟齬接触して連結された平面四つ葉のクローバー形である。なお、半製品２を三個として、製品本体３を平面三つ葉のクローバー形とすることもできる。
【００１５】
なお、タオル１の折り畳みは、図３に示すように、正方形のタオル１を前後方向に四つ織りにした後、左右両端部を内側に織り込んで、図４に示すような平面ハート形にしたものである。また、圧縮固化は、図５に示すように、四つ葉のクローバーの形状を持つ筒状の上型２０内に、四個の半製品２を収納し、ピストン２２でプレスすることによって行ったものである。なお、図中、符号は２１は下型で、符号２３は硬質ゴム材である。この硬質ゴム材２３は、圧縮固化後、製品本体３と共に、上型２０から下方に押し出される。
【００１６】
装飾シート４は、透明部分４ａと半透明部分４ｂを有し、半透明部分４ｂでハート形の半製品２よりやや小さいハート模様５を四つ形成したものであり、製品本体３に上載している。四つのハート模様５は、同色で形成しても良いし、異なる色としても良い。異なる色で色違いに構成すると、見栄えが向上する。
【００１７】
また、この装飾シート４には、文字を印刷している。なお、図６に示すように、透明部分４ａでハート模様５およびクローバー模様６を形成することもできる。この場合、当該透明部分４ａに各半製品２の色をそのまま現出させることができるといった利点がある。なお、透明部分４ａと不透明部分、あるいは半透明部分４ｂと不透明部分とで形成することもできる。
【００１８】
包装フィルム７は、前記製品本体３と装飾シート４を包装するもので、本実施形態では透明なものを使用している。透明な包装フィルム７を使用することで、製品本体３の色合いをそのまま現出させることができるといった利点がある。また、台紙８は、厚紙で形成し、製品本体３の下面に敷いている。この台紙８は、製品本体３を充分に支持できる肉厚に設定している。
【００１９】
本実施形態に係るタオルの圧縮固化製品１０は、タオル１で形成した四つの半製品２を圧縮固化することによって、その側面部同士を湾曲齟齬接触させて連結して単体の製品本体３としているので、型くずれしない。従って、見栄えに優れ、商品価値が高い。
【００２０】
また、製品本体３の上面に装飾シート４を上載しているので、当該製品本体３の上面に現出しているクローバーを、当該四つのハート模様５でさらに明瞭に現出させることができる。従って、見栄えがより優れ、さらに商品価値を高めることができる。
【００２１】
また、製品本体３の下面に台紙８を敷いているので、当該製品本体３を下から支持して型くずれを、さらに防止することができる。これにより、見栄えと商品価値を、より高めることができる。
【００２２】
さらに、製品本体３、装飾シート４および台紙８を透明の包装フィルム７で包装しているので、型くずれを確実に防止することができる。従って、見栄えと商品価値をさらに高めることができる。
【実施例】
【００２３】
縦２０ｃｍ、横２０ｃｍ程度のタオル１を四枚使用して、直径約１０ｃｍ、高さ約１．５ｃｍの形成した圧縮固化製品１０のものは、図２に示す如く、隣接する半製品の側面部同志が湾曲した齟齬接触し、固形形状を保持していた。
【図面の簡単な説明】
【００２４】
【図１】本考案に係るタオルの圧縮固化製品を示すもので、（ａ）は平面図、（ｂ）は正面図である。
【図２】図１に示す圧縮固化製品の製品本体と装飾シートを示すもので、（ａ）は分解平面図、（ｂ）は分解正面図である。
【図３】本考案に係る圧縮固化製品において、タオルの折りたたみ手順を示す説明図である。
【図４】図３の手順によってハート形に折り畳んだ半製品を示す平面図である。
【図５】本考案に係る圧縮固化製品において、半製品を圧縮固化して製品本体を形成する手段を示すもので、（ａ）は平面図、（ｂ）は正面断面図である。
【図６】本考案に係る圧縮固化製品の他の実施形態を示す平面図である。
【符号の説明】
【００２５】
１        タオル
２        半製品
３        製品本体
３ａ      凹凸部
４        装飾シート
４ａ      透明部分
４ｂ      半透明部分
５        ハート模様
６        クローバー模様
７        包装フィルム
８        台紙
１０      圧縮固化製品
２０      上型
２１      下型
２２      ピストン
２３      硬質ゴム材
【図１】
0003122523.tif 000003
【図２】
0003122523.tif 000004
【図３】
0003122523.tif 000005
【図４】
0003122523.tif 000006
【図５】
0003122523.tif 000007
【図６】
0003122523.tif 000008